(57)【要約】【課題】小型化を図ることができるヘッドアップディスプレイ装置を提供すること。【解決手段】表示すべき情報を光線として発生する情報表示器４と、前記光線が観視者に向けて反射されるよう配置されたコンバイナ６と、該コンバイナ６を収納するケース３と、該ケース３の開口部３ａを閉鎖する閉鎖位置と同開口部３ａを開放する開放位置に移動可能なカバー７を備え、コンバイナ６をこれが起立する起立位置とケース３内に収納される収納位置に回動可能とするとともに、該コンバイナ６の回動に連動してカバー７を移動させ、コンバイナ６が起立位置にあるときにはカバー７が開放位置にあり、同コンバイナ６が収納位置にあるときにはカバー７が閉鎖位置にあるよう構成したヘッドアップディスプレイ装置１において、前記開放位置にあるカバー７が前記情報表示器４と上下方向に重なるように該カバー７をガイドするガイドレール（ガイド部）８を設ける。【選択図】図６
2013154816.tif 000002
【特許請求の範囲】
【請求項１】
表示すべき情報を光線として発生する情報表示器と、前記光線が観視者に向けて反射されるよう配置されたコンバイナと、該コンバイナを収納するケースと、該ケースの開口部を閉鎖する閉鎖位置と同開口部を開放する開放位置に移動可能なカバーを備え、
前記コンバイナをこれが前記ケースの開口部から外部に露出して起立する起立位置と前記ケース内に収納される収納位置に回動可能とするとともに、該コンバイナの回動に連動して前記カバーを移動させ、前記コンバイナが前記起立位置にあるときには前記カバーが前記開放位置にあり、同コンバイナが前記収納位置にあるときには前記カバーが前記閉鎖位置にあるよう構成したヘッドアップディスプレイ装置において、
前記開放位置にあるカバーが前記情報表示器と上下方向に重なるように該カバーをガイドするガイド部を設けたことを特徴とするヘッドアップディスプレイ装置。
【請求項２】
前記カバーを前記ガイド部に沿って移動させるカバー駆動機構を設け、
該カバー駆動機構を、
長手方向一端にギヤ部を有し、他端に雄ネジ部を備えて前記情報表示器の上方を前記カバーの移動方向に沿って延びるネジシャフトと、
前記ギヤ部を介して前記ネジシャフトを正逆回転させる第１モータと、
前記カバーに取り付けられ、前記ネジシャフトの雄ネジ部に進退可能に螺合する雌ネジ部材を含んで構成したことを特徴とする請求項１記載のヘッドアップディスプレイ装置。
【請求項３】
前記コンバイナを回転軸を中心として回動させるコンバイナ駆動機構を設け、
該コンバイナ駆動機構を、
前記コンバイナの回転軸に対して出力軸が平行になり、且つ、前記開放位置にある前記カバーと上下方向に重なるように前記情報表示器の側部に横向きに配置された第２モータと、
該第２モータの出力軸の回転を前記コンバイナの回転軸に伝達する伝動機構を含んで構成したことを特徴とする請求項１又は２記載のヘッドアップディスプレイ装置。
【発明の詳細な説明】
【技術分野】
【０００１】
本発明は、情報表示器から光線として出力される情報をコンバイナによって観視者に向けて反射させて観視者に画像情報として伝達するためのヘッドアップディスプレイ装置に関するものである。
【背景技術】
【０００２】
例えば、近年の車両おいては、運転者に対して画像情報を車両前方の光景と共に提供するためのヘッドアップディスプレイ装置（ＨＵＤ）を車室内のインストルメントパネルに設置することが行われている。このヘッドアップディスプレイ装置は、液晶表示装置等の情報表示器から出力される光学的情報をハーフミラー等のコンバイナ上に投影し、運転者が前方から殆ど視線をそらすことなく情報を読み取ることができるようにしたものである。
【０００３】
斯かるヘッドアップディスプレイ装置においては、コンバイナを使用しないときには、これが邪魔にならないように該コンバイナを収納するようにしている。具体的には、インストルメントパネルにはコンバイナを収納するためのケースが設けられており、このケースに収納されているコンバイナを使用するときには、該コンバイナを回動させてこれをケースの開口部から露出させて起立させるようにしている。
【０００４】
しかしながら、上記構成を採用するヘッドアップディスプレイ装置においては、コンバイナがケース内に収納されている状態ではケースの開口部が開放されているため、コンバイナがフロントガラスで反射して運転時に運転者が前方を見にくい他、コンバイナの上面に粉塵が付着して該コンバイナの透光性が損なわれ易いという問題があった。
【０００５】
そこで、特許文献１には、透光性反射板（コンバイナ）が収納凹部（ケース）内に収納されているときには収納凹部の開口部をカバーで閉鎖する構成が提案されている。これによれば、カバーは、収納凹部の開口部周縁に設けられて車体幅方向に延びる一対のガイドレール間に摺動可能に架設され、収納凹部の開口部を閉鎖する閉鎖位置と開口部を開放する開放位置との間を摺動可能に配設されている。そして、収納凹部に透光性反射板を収納した後、モータが駆動されると、開放位置にあるカバーがガイドレールに沿って閉鎖位置まで摺動して収納凹部の開口部を覆うため、透光性反射板がフロントガラスで反射することによる不具合や、コンバイナに粉塵が付着することによる不具合が解消される。
【先行技術文献】
【特許文献】
【０００６】
【特許文献１】実開昭６２−２０００４０号公報
【発明の概要】
【発明が解決しようとする課題】
【０００７】
しかしながら、特許文献１において提案された構成では、カバーが収納凹部の開口部を開放するときに該カバーが情報表示器に対して車幅方向にずれた位置へと移動するため、該カバーが移動するスペースを別途確保する必要があり、ヘッドアップディスプレイ装置が大型化するという問題がある。
【０００８】
本発明は上記問題に鑑みてなされたもので、その目的とする処は、小型化を図ることができるヘッドアップディスプレイ装置を提供することにある。
【課題を解決するための手段】
【０００９】
上記目的を達成するため、請求項１記載の発明は、表示すべき情報を光線として発生する情報表示器と、前記光線が観視者に向けて反射されるよう配置されたコンバイナと、該コンバイナを収納するケースと、該ケースの開口部を閉鎖する閉鎖位置と同開口部を開放する開放位置に移動可能なカバーを備え、
前記コンバイナをこれが前記ケースの開口部から外部に露出して起立する起立位置と前記ケース内に収納される収納位置に回動可能とするとともに、該コンバイナの回動に連動して前記カバーを移動させ、前記コンバイナが前記起立位置にあるときには前記カバーが前記開放位置にあり、同コンバイナが前記収納位置にあるときには前記カバーが前記閉鎖に位置あるよう構成したヘッドアップディスプレイ装置において、
前記開放位置にあるカバーが前記情報表示器と上下方向に重なるように該カバーをガイドするガイド部を設けたことを特徴とする。
【００１０】
請求項２記載の発明は、請求項１記載の発明において、前記カバーを前記ガイド部に沿って移動させるカバー駆動機構を設け、
該カバー駆動機構を、
長手方向一端にギヤ部を有し、他端に雄ネジ部を備えて前記情報表示器の上方を前記カバーの移動方向に沿って延びるネジシャフトと、
前記ギヤ部を介して前記ネジシャフトを正逆回転させる第１モータと、
前記カバーに取り付けられ、前記ネジシャフトの雄ネジ部に進退可能に螺合する雌ネジ部材を含んで構成したことを特徴とする。
【００１１】
請求項３記載の発明は、請求項１又は２記載の発明において、前記コンバイナを回転軸を中心として回動させるコンバイナ駆動機構を設け、
該コンバイナ駆動機構を、
前記コンバイナの回転軸に対して出力軸が平行になり、且つ、前記開放位置にある前記カバーと上下方向に重なるように前記情報表示器の側部に横向きに配置された第２モータと、
該第２モータの出力軸の回転を前記コンバイナの回転軸に伝達する伝動機構を含んで構成したことを特徴とする。
【発明の効果】
【００１２】
請求項１記載の発明によれば、開放位置にあるカバーと情報表示器とが上下方向に重なるよう構成したため、ヘッドアップディスプレイ装置の幅方向の大きさを小さく抑えて該ヘッドアップディスプレイ装置を小型化することができる。
【００１３】
請求項２記載の発明によれば、カバー駆動機構の駆動源である第１モータをカバーに対してずらして配置することができるため、開放位置にあるカバーと情報表示器とが上下方向に重なる構成を容易に実現することができる。
【００１４】
請求項３記載の発明によれば、コンバイナ駆動機構の駆動源である第２モータと情報表示器とを横方向に並べて配置することによってヘッドアップディスプレイ装置の薄型化を図ることができるとともに、第２モータを開放位置にあるカバーと上下方向に重なる位置に配置することによってヘッドアップディスプレイ装置の幅方向の大きさを小さく抑えることができ、該ヘッドアップディスプレイ装置の更なる小型化を図ることができる。
【図面の簡単な説明】
【００１５】
【図１】コンバイナ収納状態にある本発明に係るヘッドアップディスプレイ装置の斜視図である。
【図２】コンバイナ収納状態にある本発明に係るヘッドアップディスプレイ装置の側断面図である。
【図３】コンバイナ収納状態にある本発明に係るヘッドアップディスプレイ装置のケースとカバーを外して示す斜視図である。
【図４】コンバイナ収納状態にある本発明に係るヘッドアップディスプレイ装置のケースを外して示す斜視図である。
【図５】コンバイナ起立状態にある本発明に係るヘッドアップディスプレイ装置の斜視図である。
【図６】コンバイナ起立状態にある本発明に係るヘッドアップディスプレイ装置の側断面図である。
【図７】本発明に係るヘッドアップディスプレイ装置の制御システムの構成を示すブロック図である。
【発明を実施するための形態】
【００１６】
以下に本発明の実施の形態を添付図面に基づいて説明する。
【００１７】
図１はコンバイナ収納状態にある本発明に係るヘッドアップディスプレイ装置の斜視図、図２は同ヘッドアップディスプレイ装置の側断面図、図３は同ヘッドアップディスプレイ装置のケースとカバーを外して示す斜視図、図４は同ヘッドアップディスプレイ装置のケースを外して示す斜視図、図５はコンバイナ起立状態にあるヘッドアップディスプレイ装置の斜視図、図６は同ヘッドアップディスプレイ装置の側断面図である。
【００１８】
本実施の形態に係るヘッドアップディスプレイ装置１は、車室内の運転席前方に配置されたインストルメントパネル２（図２参照）に設置された装置であって、図２に示すように、インストルメントパネル２内には矩形ボックス状のケース３が内蔵されている。
【００１９】
上記ケース３は、アッパケース３Ａとロアケース３Ｂとを接合一体化して構成されており、その内部には、図２に示すように、表示すべき情報を光線として発生する情報表示器４、該情報表示器４から出射される光線を反射させる反射板５、該反射板５によって反射した光線が運転者に向けて反射されるように配置されたコンバイナ６、ケース３の開口部３ａを開閉するカバー７、該カバー７をガイド部であるガイドレール８に沿って移動させるカバー駆動機構９、前記コンバイナ６を回動させるコンバイナ駆動機構１０等が収容されている。
【００２０】
上記情報表示器４は、液晶表示装置等の受光型表示素子に熱陰極管（ＨＣＴ）、蛍光表示管（ＶＦ）、タングステンランプ、ハロゲンランプ、メタルハイライドランプ、ＬＥＤ（発光ダイオード）等の光源を組み合わせて構成されており、この情報表示器４と前記反射板５はケース３のロアケース３Ｂに固定されている。そして、反射板５の上方は、ケース３のアッパケース３Ａに略水平に固定保持された透明なクリアカバー１１によって覆われており、このクリアカバー１１によってケース３内への埃等の侵入が防がれている。
【００２１】
前記コンバイナ６は、矩形の円弧曲面板として構成されており、その前端の左右には図３に示すように回転軸１２が横方向に突設されており、これらの回転軸１２をケース３のアッパケース３Ａの相対向する内壁に形成された不図示の軸支孔に嵌め込むことによって、該コンバイナ６がアッパケース３Ａに左右の回転軸１２を中心として上下に回動可能に軸支されている。又、図１〜図３に示すように、コンバイナ６の前端右側にはカム板状のスイッチ操作片１３が設けられている。
【００２２】
而して、コンバイナ６は、これを使用しないときには図２に示すようにケース３内に収納され、これを使用するときには回転軸１２を中心として上方に回動して図５及び図６に示すようにケース３の開口部３ａとインストルメントパネル２の開口部２ａから外部に露出して起立することができる。即ち、コンバイナ６は、回転軸１２を中心として図２に示す収納位置と図５及び図６に示す起立位置に回動することができ、その回動は前記コンバイナ駆動機構１０によってなされる。
【００２３】
ここで、コンバイナ駆動機構１０は、図３に示すように、駆動源である第２モータ１４をその出力軸１４ａが前記回転軸１２に対して平行になるようコンバイナ６の左前方の前記情報表示器４の側部に横向き状態で配置するとともに、該第２モータ１４の出力軸１４ａの端部に第１プーリ１５を結着し、該第１プーリ１５と左側の出力軸１２に結着された第２プーリ１６との間に無端状のベルト１７を巻装して構成されている。尚、第２モータ１４は、ステッピングモータであって、これはケース３のアッパケース３Ａの内壁にネジ止めによって固定されている。
【００２４】
そして、図１〜図３に示すように、第２モータ１４が配された側とは反対側（右側）の前記スイッチ操作片１３の近傍には、２つのコンバイナ用位置検出スイッチ１８，１９が配置されており、一方（上側）のコンバイナ用位置検出スイッチ１８は、コンバイナ６が図２に示すように収納位置にあるときにスイッチ操作片１３によって押圧されてオンし、他方（下側）のコンバイナ用位置検出スイッチ１９は、コンバイナ６が図５及び図６に示すように起立位置にあるときにスイッチ操作片１３によって押圧されてオンする。
【００２５】
ところで、前記情報表示器４の内部には図７に示す制御部２０が収容されており、この制御部２０には、電源２１、ヘッドアップディスプレイ装置１をオン／オフするオンオフスイッチ２２、コンバイナ６の起立角度を調整するためのコンバイナ調整スイッチ（上）２３とコンバイナ調整スイッチ（下）２４が電気的に接続されている他、前記第２モータ１４がコード２５（図３参照）によって電気的に接続されているとともに、前記コンバイナ用位置検出スイッチ１８，１９がコード２６（図３参照）によって電気的に接続されている。
【００２６】
前記カバー７は、ケース３のアッパケース３Ａの相対向する内壁に前後方向に形成されたガイド部である凹溝状の前記ガイドレール８に沿って前後方向に移動可能に保持されている。ここで、図４に示すように、カバー７は矩形平板状に成形されており、その後端部の左右にはコロ状の支持凸部２７が設けられており、各支持凸部２７を左右のガイドレール８にそれぞれ係合させることによってカバー７がガイドレール８に沿って前後方向に移動することができる。尚、各支持凸部２７は、カバー７の後端左右に横方向に突設された軸２７ａにリング状のコロ２７ｂを圧入することによって構成されている。
【００２７】
又、カバー７の前端の幅方向中央には雌ネジ部材２８が回動可能に支持されている。即ち、カバー７の前端の幅方向中央部には左右一対の支持部７Ａが形成されており、前記雌ネジ部材２８をカバー７の左右の支持部７Ａの間に嵌め込み、該雌ネジ部材２８の左右両面に横方向に突設された回動軸２９を左右の各支持部７Ａに回動可能に軸支させることによって、雌ネジ部材２８がカバー７に対して上下に回動可能に支持されている。ここで、図２に示すように、雌ネジ部材２８には雌ネジ孔２８ａが前後方向に貫設されている。
【００２８】
而して、カバー７は、コンバイナ６の回動に連動してガイドレール８に沿って前後方向に移動し、コンバイナ６が図５及び図６に示すように起立位置にあるときにはケース３の開口部３ａを開放する開放位置へと移動し、コンバイナ６が図２に示すように収納位置にあるときにはケース３の開口部３ａを閉鎖する閉鎖位置へと移動するが、このカバー７の移動は前記カバー駆動機構９によってなされる。
【００２９】
ここで、カバー駆動機構９は、駆動源として第１モータ３０を備えており、この第１モータ３０は、図２及び図４に示すように前方右側に配置された水平なモータ保持板３１上に横向き状態で載置されており、その横方向に延びる出力軸３０ａにはウォーム３２が結着されている。尚、モータ保持板３１は、ケース３のアッパケース３Ａの内壁にネジ止めによって固定されている。
【００３０】
又、図１及び図２に示すように、ケース３のアッパケース３Ａの前端部及び中央部の幅方向中央部には一対のシャフト支持部３ｂ１，３ｂ２が立設されており、これらのシャフト支持部３ｂ１，３ｂ２には前後方向（カバー７の移動方向）に配されたネジシャフト３３の両端が回転可能に支持されている。そして、このネジシャフト３３の前端部にはウォームホイール３４が結着されており、このウォームホイール３４は前記ウォーム３２に噛合している。
【００３１】
更に、上記ネジシャフト３３の前端部から他端部にかけて図２に示すように雄ネジ部３３ａが形成されており、この雄ネジ部３３ａは、カバー７に回動可能に支持された前記雌ネジ部材２８の雌ネジ孔２８ａに螺合挿通している。そして、ケース３のアッパケース３Ａ上には、図１、図２及び図４に示すように、開放位置にあるカバー７の前端面に当接して該カバー７の開放位置から前方への移動を阻止するためのストッパ３ｃが立設されている。
【００３２】
ところで、図４に示すように、カバー７の前端右側には下方に延びるスイッチ操作片３５が設けられており、図３及び図４に示すように、第１モータ３０の右側前後のカバー７の開放位置と閉鎖位置に対応する箇所には、２つのカバー用位置検出スイッチ３６，３７が配置されている。ここで、一方（前側）のカバー用位置検出スイッチ３６は、カバー７が図５及び図６に示すように開放位置にあるときにスイッチ操作片３５によって押圧されてオンし、他方（後側）のカバー用位置検出スイッチ３７は、カバー７が図２に示すように閉鎖位置にあるときにスイッチ操作片３５によって押圧されてオンする。そして、第１モータ３０がコード３８（図３参照）によって図７に示す制御部２０に電気的に接続されており、カバー用位置検出スイッチ３６，３７はコード３９（図３参照）によって制御部２０に電気的に接続されている。
【００３３】
次に、以上のように構成されたヘッドアップディスプレイ装置１の動作について説明する。
【００３４】
ヘッドアップディスプレイ装置１を使用しないためにコンバイナ６が図２に示すようにケース３内に収納されているときには、ケース３の開口部３ａはカバー７によって閉鎖されている。この状態からヘッドアップディスプレイ装置１を使用するために運転者がオンオフスイッチ２２をオンすると、そのオン信号を受信した制御部２０は、カバー駆動機構９の第１モータ３０を起動する。すると、第１モータ３０の出力軸３０ａの回転は、ウォーム３２とウォームギヤ３４を経て方向が直角に変換されてネジシャフト３３に伝達されるため、該ネジシャフト３３が回転駆動される。このようにネジシャフト３３が回転すると、該ネジシャフト３３の後端に形成された雄ネジ部３３ａに螺合する雌ネジ孔２８ａが形成された雌ネジ部材２８とカバー７が左右一対のガイドレール８に沿って開放位置に向かって前方へと移動する。
【００３５】
そして、カバー７が開放位置に達すると、該カバー７の先端部に設けられたスイッチ操作片３５が前側のカバー用位置検出スイッチ３６を押圧してこれをオンさせる。すると、カバー用位置検出スイッチ３６からのオン信号を受信した制御部２０は、第１モータ３０を停止させ、カバー７は開放位置で停止する。このようにカバー７が開放位置にあるとき、該カバー７は図５及び図６に示すようにケース３の開口部３ａを開放し、開放位置にあるカバー７と情報表示器４及びその側部に配置された第２モータ１４とが上下方向に重なる。尚、このとき、カバー７は、その前端面がストッパ３ｃに当接してそれ以上の移動が阻止される。
【００３６】
続いて制御部２０は、コンバイナ駆動機構１０の第２モータ１４を起動する。すると、第２モータ１４の出力軸１４ａの回転は、伝動機構を構成する第１プーリ１５とベルト１７及び第２プーリ１６を経て回転軸１２に伝達されるため、該回転軸１２を備えたコンバイナ６が回転軸１２を中心として起立位置に向かって上方へと回動する。そして、コンバイナ６が図５及び図６に示すようにケース３の開口部３ａとインストルメントパネル２の開口部２ａを通過して起立位置に達すると、該コンバイナ６の右側先端に設けられたスイッチ操作片１３がコンバイナ用位置検出スイッチ１９を押圧してこれをオンさせるため、該コンバイナ用位置検出スイッチ１９からのオン信号を受信した制御部２０は、第２モータ１４を停止させ、コンバイナ６が起立位置で停止する。このようにコンバイナ６が図６に示すようにインストルメントパネル２上に起立すると、情報表示器４から出力される表示像は、反射板５で反射してコンバイナ６に向かい、コンバイナ６上に表示像が投影表示されるため、運転者はコンバイナ６に投射される情報を前方から殆ど視線をそらすことなく読み取ることができる。
【００３７】
ところで、運転者がコンバイナ調整スイッチ（上）２３又はコンバイナ調整スイッチ（下）２４を操作すると、制御部２０は、その操作時間に応じて第２モータ（ステッピングモータ）１４に駆動パルスを印加し、該第２モータ１４を所定時間だけ正逆回転させてコンバイナ６を回転軸１２を中心として所定量だけ上下に回動させてその起立角度を調整することができる。
【００３８】
図５及び図６に示すように使用されていたヘッドアップディスプレイ装置１を使用しないために運転者がオンオフスイッチ２２をオフすると、そのオフ信号を受信した制御部２０は、コンバイナ駆動機構１０の第２モータ１４を起動し、その出力軸１４ａを逆転させる。すると、前述と同様に第２モータ１４の出力軸１４ａの回転は、第１プーリ１５とベルト１７及び第２プーリ１６を経て回転軸１２に伝達されるため、図５及び図６に示すように起立状態にあるコンバイナ６が回転軸１２を中心と収納位置に向かって下方へと回動する。そして、コンバイナ６が図２に示すようにインストルメントパネル２の開口部２ａとケース３の開口部３ａを通過して収納位置に達すると、該コンバイナ６に設けられたスイッチ操作片１３がコンバイナ用位置検出スイッチ１８を押圧してこれをオンさせるため、該コンバイナ用位置検出スイッチ１８からのオン信号を受信した制御部２０は、第２モータ１４を停止させ、コンバイナ６が収納位置で停止してケース３内に収納される。
【００３９】
続いて制御部２０は、カバー駆動機構９の第１モータ３０を起動し、その出力軸３０ａを逆転させる。すると、第１モータ３０の出力軸３０ａの回転は、ギヤ部を構成するウォーム３２とウォームホイール３４を経てネジシャフト３３に伝達されるため、該ネジシャフト３３が逆転される。このようにネジシャフト３３が逆転すると、該ネジシャフト３３の後端に形成された雄ネジ部３３ａに螺合する雌ネジ孔２８ａが形成された雌ネジ部材２８とカバー７が左右一対のガイドレール８に沿って閉鎖位置に向かって後方へと移動する。
【００４０】
そして、カバー７が閉鎖位置に達すると、該カバー７の先端部に設けられたスイッチ操作片３５が後側のカバー用位置検出スイッチ３７を押圧してこれをオンさせる。すると、カバー用位置検出スイッチ３７からのオン信号を受信した制御部２０は、第１モータ３０を停止させ、カバー７は閉鎖位置で停止する。このようにカバー７が閉鎖位置にあるとき、該カバー７は図２に示すようにケース３の開口部３ａを閉鎖し、コンバイナ６がフロントガラスで反射することによる不具合や、コンバイナ６に粉塵が付着することによる不具合が解消される。
【００４１】
以上のように、本発明に係るヘッドアップディスプレイ装置１によれば、開放位置にあるカバー７と情報表示器４とが上下方向に重なるよう構成したため、ヘッドアップディスプレイ装置１の幅方向の大きさを小さく抑えて該ヘッドアップディスプレイ装置１を小型化することができる。
【００４２】
又、本実施の形態に係るヘッドアップディスプレイ装置１によれば、カバー駆動機構９の駆動源である第１モータ３０をカバー７に対してずらして配置することができるため、開放位置にあるカバー７と情報表示器４とが上下方向に重なる構成を容易に実現することができる。
【００４３】
更に、本実施の形態に係るヘッドアップディスプレイ装置１によれば、コンバイナ駆動機構１０の駆動源である第２モータ１４と情報表示器４とを横方向に並べて配置するようにしたため、ヘッドアップディスプレイ装置１の薄型化を図ることができるとともに、第２モータ１４を開放位置にあるカバー７と上下方向に重なる位置に配置することができ、ヘッドアップディスプレイ装置１の幅方向の大きさを小さく抑えることができ、該ヘッドアップディスプレイ装置１の更なる小型化を図ることができる。
【００４４】
尚、本実施の形態においては、第２モータ１４の出力軸１４ａの回転をコンバイナ６の回転軸１２に伝達する伝達機構として第１プーリ１５、第２プーリ１６及びベルト１７を用いて構成したが、これに限定されるものではなく、例えば、出力軸１４ａ及び回転軸１２の周りにそれぞれギヤを設け、各ギヤをそれぞれ直接又は中間ギヤを用いて間接的に連動させることによって伝達機構を構成するようにしても良い。
【符号の説明】
【００４５】
１              ヘッドアップディスプレイ装置
２              インストルメントパネル
２ａ            インストルメントパネルの開口部
３              ケース
３Ａ            ケースのアッパケース
３Ｂ            ケースのロアケース
３ａ            ケースの開口部
３ｂ１，３ｂ２  ケースのシャフト支持部
３ｃ            ケースのストッパ
４              情報表示器
５              反射板
６              コンバイナ
７              カバー
７Ａ            カバーの支持部
８              ガイドレール（ガイド部）
９              カバー駆動機構
１０            コンバイナ駆動機構
１１            クリアカバー
１２            回転軸
１３            スイッチ操作片
１４            第２モータ
１４ａ          第２モータの出力軸
１５            第１プーリ（伝動機構）
１６            第２プーリ（伝動機構）
１７            ベルト（伝動機構）
１８，１９      コンバイナ用位置検出スイッチ
２０            制御部
２１            電源
２２            オンオフスイッチ
２３            コンバイナ用調整スイッチ（上）
２４            コンバイナ用調整スイッチ（下）
２５，２６      コード
２７            支持凸部
２７ａ          支持凸部の軸
２７ｂ          支持凸部のコロ
２８            雌ネジ部材
２８ａ          雌ネジ材の雌ネジ孔
２９            回動軸
３０            第１モータ
３０ａ          第１モータの出力軸
３１            モータ保持板
３２            ウォーム（ギヤ部）
３３            ネジシャフト
３３ａ          ネジシャフトの雄ネジ部
３４            ウォームホイール（ギヤ部）
３５            スイッチ操作片
３６，３７      カバー用位置検出スイッチ
３８，３９      コード
【図１】
2013154816.tif 000003
【図２】
2013154816.tif 000004
【図３】
2013154816.tif 000005
【図４】
2013154816.tif 000006
【図５】
2013154816.tif 000007
【図６】
2013154816.tif 000008
【図７】
2013154816.tif 000009